(57)【特許請求の範囲】
【請求項１】
被写体を透過した放射線を検出し、画像情報に変換する放射線変換パネルと、前記放射線変換パネルを収容し、前記放射線を透過させる材料からなるケーシングとを具備する可搬型の放射線変換器と、
前記ケーシングにおける前記放射線が照射される照射面の撮影領域に配置され、前記照射面に対する前記被写体の接触状態を検知する接触状態検知手段と、
前記接触状態検知手段により前記撮影領域における直線上にない少なくとも３点での前記被写体の接触状態を検知し、その検知結果から、前記撮影領域に対して前記被写体が所定の密着状態にあるか否かを判断する密着状態判断手段と、
前記密着状態の判断結果を報知する判断結果報知手段と、
を備えることを特徴とする放射線画像撮影システム。
【請求項２】
請求項１記載のシステムにおいて、
前記接触状態検知手段は、前記照射面に所定の間隔でマトリックス状に配列され、前記被写体から付与される圧力を検出する複数の圧力センサであることを特徴とする放射線画像撮影システム。
【請求項３】
請求項２記載のシステムにおいて、
前記放射線を前記被写体に照射する放射線源をさらに備え、
前記放射線源が前記放射線を前記被写体に照射している間、前記各圧力センサは、前記被写体から付与される圧力を検出し、検出した圧力をリアルタイムで前記密着状態判断手段に出力し、
前記密着状態判断手段は、前記圧力に基づき前記被写体が動いたと判断したとき、その判断結果を前記判断結果報知手段を介して報知することを特徴とする放射線画像撮影システム。
【請求項４】
請求項１記載のシステムにおいて、
前記接触状態検知手段は、透明電極をマトリックス状に配列して構成し、前記被写体が接触する前記透明電極の交点の位置を検知するタッチパネルであることを特徴とする放射線画像撮影システム。
【請求項５】
請求項１〜４のいずれか１項に記載のシステムにおいて、
前記画像情報に形成された前記接触状態検知手段の影を、前記接触状態検知手段の前記放射線の透過率に基づく画像処理によって除去する画像処理部をさらに備えることを特徴とする放射線画像撮影システム。
【請求項６】
請求項１記載のシステムにおいて、
前記判断結果報知手段は、当該システムを操作する技師が所持する携帯情報端末であることを特徴とする放射線画像撮影システム。
【請求項７】
請求項１記載のシステムにおいて、
前記放射線変換器は、前記ケーシング内に収容され、前記放射線変換パネルを駆動するバッテリをさらに具備し、
前記判断結果報知手段は、前記バッテリを充電処理するクレードルであることを特徴とする放射線画像撮影システム。
【請求項８】
請求項１記載のシステムにおいて、
前記判断結果報知手段は、放射線源を制御する制御装置であることを特徴とする放射線画像撮影システム。
【請求項９】
請求項６〜８のいずれか１項に記載のシステムにおいて、
前記判断結果報知手段は、前記判断結果を表示する表示部を有することを特徴とする放射線画像撮影システム。
【請求項１０】
請求項６〜８のいずれか１項に記載のシステムにおいて、
前記判断結果報知手段は、前記判断結果を警報として報知する警報報知部を有することを特徴とする放射線画像撮影システム。
【請求項１１】
請求項１記載のシステムにおいて、
前記密着状態判断手段による前記密着状態の判断結果に従い、放射線源の照射動作を制御する線源制御装置を有することを特徴とする放射線画像撮影システム。
【請求項１２】
請求項１記載のシステムにおいて、
前記密着状態判断手段は、前記接触状態検知手段により検知される前記接触状態の変化から、前記被写体の密着状態を判断することを特徴とする放射線画像撮影システム。
【発明の詳細な説明】
【技術分野】
【０００１】
本発明は、被写体に放射線を照射して放射線画像の撮影を行う放射線画像撮影システムに関する。
【背景技術】
【０００２】
医療分野において、被写体に放射線を照射し、被写体を透過した放射線を放射線変換器に導いて放射線画像を撮影する放射線画像撮影装置が広汎に使用されている。
【０００３】
この場合、放射線変換器を構成する放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００４】
一方、手術室等の医療現場においては、患者に対して迅速且つ的確な処置を施すため、放射線変換パネルから直ちに放射線画像を読み出して表示できることが要求される。このような要求に対応可能な放射線変換パネルとして、放射線を直接電気信号に変換し、あるいは、放射線をシンチレータで可視光に変換した後、電気信号に変換して読み出す固体検出素子を用いた放射線変換パネルが開発されている。
【０００５】
ところで、放射線変換器に対して適切な放射線画像を記録するためには、被写体と放射線変換器との位置関係を高精度に調整する必要がある。
【０００６】
そこで、例えば、特許文献１に開示された従来技術では、図７に示すように、放射線変換器２の外周部の４個所に接触センサ４ａ〜４ｄを配設しておき、被写体６が接触することで特定された接触センサ４ａを基準として放射線変換器２の撮影領域８を設定し、その撮影領域８に対して放射線源１０から放射線Ｘを照射することで放射線画像を撮影するように構成している。
【０００７】
また、特許文献２に開示された従来技術では、図８に示すように、矢印方向に移動可能に構成した撮影台１２の下部にスイッチ１４を配設しておき、撮影台１２を上下させ、被写体６によりスイッチ１４がオン状態となった位置で撮影台１２を位置決めして撮影するように構成している。
【０００８】
さらに、特許文献３に開示された従来技術では、放射線変換器の一部に接触検知手段を配設しておき、この接触検知手段に被写体が接触した際に、放射線変換器に電力を供給して撮影可能な状態とするように構成している。
【０００９】
【特許文献１】特開２００６−２１８２１６号公報
【特許文献２】特開２００２−２７２７３２号公報
【特許文献３】特開２００５−１７３４３２号公報
【発明の開示】
【発明が解決しようとする課題】
【００１０】
この場合、特許文献１、２では、放射線変換器２又は撮影台１２の所定の撮影領域に被写体６を設定することはできるが、放射線変換器２又は撮影台１２に対する被写体６の密着性を確保できる保証はない。そのため、例えば、特許文献１では、放射線源１０と放射線変換器との距離が場所によって異なり、鮮明な画像を得ることができないことがある。
【００１１】
また、特許文献３では、放射線変換器と被写体との接触を検知しているだけであり、この場合も、密着性について何ら保証されるものではない。
【００１２】
本発明は、前記の課題に鑑みなされたものであり、放射線変換器に被写体が密着しているか否かを判断し、適切な状態で良好な撮影を行うことのできる放射線画像撮影システムを提供することを目的とする。
【課題を解決するための手段】
【００１３】
本発明の放射線画像撮影システムは、被写体を透過した放射線を検出し、画像情報に変換する放射線変換器と、
前記放射線変換器における撮影領域に配置され、前記放射線変換器に対する前記被写体の接触状態を検知する接触状態検知手段と、
前記接触状態検知手段により直線上にない少なくとも３点での前記被写体の接触状態を検知し、その検知結果から、前記放射線変換器に対して前記被写体が所定の密着状態にあるか否かを判断する密着状態判断手段と、
前記密着状態の判断結果を報知する判断結果報知手段と、
を備えることを特徴とする。
【発明の効果】
【００１４】
本発明によれば、放射線変換器の撮影領域のうち、直線上にない少なくとも３点に被写体が接触していることを検知した際、これらの３点を含む放射線変換器の所定範囲に被写体が密着しているものと判断することができる。この状態で放射線を被写体に照射することにより、少なくともこの所定範囲において、良好な放射線画像を放射線変換器に記録することができる。
【発明を実施するための最良の形態】
【００１５】
図１は、本実施形態に係る放射線画像撮影システム２０の説明図である。放射線画像撮影システム２０は、撮影条件に従った線量からなる放射線Ｘを患者２２（被写体）に照射する放射線源２４と、放射線源２４を制御する線源制御装置２６と、患者２２を透過した放射線Ｘを検出する放射線変換パネルを内蔵した電子カセッテ２８（放射線変換器）と、電子カセッテ２８の充電処理を行うクレードル３０と、放射線源２４の撮影スイッチを有し、撮影作業を含む状態確認のために技師が所持する携帯情報端末３２と、線源制御装置２６、電子カセッテ２８、クレードル３０及び携帯情報端末３２を制御するとともに、必要な情報の授受を行うコンソール３４（制御装置）とを備える。
【００１６】
放射線源２４、線源制御装置２６及びクレードル３０は、撮影室３６内に配置され、コンソール３４は、撮影室３６外の操作室３８に配置される。また、線源制御装置２６、電子カセッテ２８、クレードル３０、携帯情報端末３２及びコンソール３４の間では、無線通信による必要な情報の送受信が行われる。
【００１７】
図２は、電子カセッテ２８の内部構成図である。電子カセッテ２８は、放射線Ｘを透過させる材料からなるケーシング４０を備える。ケーシング４０の内部には、放射線Ｘが照射される照射面側から、患者２２による放射線Ｘの散乱線を除去するグリッド４２、患者２２を透過した放射線Ｘを検出する放射線変換パネル４４、及び、放射線Ｘのバック散乱線を吸収する鉛板４６が順に配設される。また、ケーシング４０の放射線Ｘが照射される照射面には、患者２２が接触したことを検知する複数の圧力センサ４８（接触状態検知手段）が所定の間隔でマトリックス状に配列される。これらの圧力センサ４８は、放射線Ｘを十分に透過させることのできる材料で構成することが望ましい。
【００１８】
ケーシング４０の内部には、電子カセッテ２８の電源であるバッテリ５０と、バッテリ５０から供給される電力により放射線変換パネル４４を駆動制御するカセッテ制御部５２と、放射線変換パネル４４によって放射線Ｘから電気信号に変換された情報を含む信号をクレードル３０、携帯情報端末３２及びコンソール３４との間で送受信する送受信部５４とが収容される。なお、カセッテ制御部５２及び送受信部５４には、放射線Ｘが照射されることによる損傷を回避するため、ケーシング４０の照射面側に鉛板等を配設しておくことが好ましい。
【００１９】
図３は、放射線変換パネル４４の回路構成ブロック図である。放射線変換パネル４４は、放射線Ｘを感知して電荷を発生させるアモルファスセレン（ａ−Ｓｅ）等の物質からなる光電変換層５６を行列状の薄膜トランジスタ（ＴＦＴ：Ｔｈｉｎ  Ｆｉｌｍ  Ｔｒａｎｓｉｓｔｏｒ）５８のアレイの上に配置した構造を有し、発生した電荷を蓄積容量６０に蓄積した後、各行毎にＴＦＴ５８を順次オンにして、電荷を画像信号として読み出す。図３では、光電変換層５６及び蓄積容量６０からなる１つの画素６２と１つのＴＦＴ５８との接続関係のみを示し、その他の画素６２の構成については省略している。なお、アモルファスセレンは、高温になると構造が変化して機能が低下してしまうため、所定の温度範囲内で使用する必要がある。従って、電子カセッテ２８内に放射線変換パネル４４を冷却する手段を配設することが好ましい。
【００２０】
各画素６２に接続されるＴＦＴ５８には、行方向と平行に延びるゲート線６４と、列方向と平行に延びる信号線６６とが接続される。各ゲート線６４は、ライン走査駆動部６８に接続され、各信号線６６は、読取回路を構成するマルチプレクサ７６に接続される。
【００２１】
ゲート線６４には、行方向に配列されたＴＦＴ５８をオンオフ制御する制御信号Ｖｏｎ、Ｖｏｆｆがライン走査駆動部６８から供給される。この場合、ライン走査駆動部６８は、ゲート線６４を切り替える複数のスイッチＳＷ１と、スイッチＳＷ１の１つを選択する選択信号を出力するアドレスデコーダ７０とを備える。アドレスデコーダ７０には、カセッテ制御部５２からアドレス信号が供給される。
【００２２】
また、信号線６６には、列方向に配列されたＴＦＴ５８を介して各画素６２の蓄積容量６０に保持されている電荷が流出する。この電荷は、増幅器７２によって増幅される。増幅器７２には、サンプルホールド回路７４を介してマルチプレクサ７６が接続される。マルチプレクサ７６は、信号線６６を切り替える複数のスイッチＳＷ２と、スイッチＳＷ２の１つを選択する選択信号を出力するアドレスデコーダ７８とを備える。アドレスデコーダ７８には、カセッテ制御部５２からアドレス信号が供給される。マルチプレクサ７６には、Ａ／Ｄ変換器８０が接続され、Ａ／Ｄ変換器８０によってデジタル信号に変換された放射線画像情報がカセッテ制御部５２に供給される。
【００２３】
図４は、放射線画像撮影システム２０の構成ブロック図である。コンソール３４には、病院内の放射線科において取り扱われる放射線画像情報やその他の情報を統括的に管理する放射線科情報システム（ＲＩＳ）８２が接続され、また、ＲＩＳ８２には、病院内の医事情報を統括的に管理する医事情報システム（ＨＩＳ）８４が接続される。
【００２４】
電子カセッテ２８を構成するカセッテ制御部５２（図２参照）は、各圧力センサ４８によって検出した圧力を圧力情報として記憶するセンサメモリ８６と、放射線変換パネル４４によって検出した放射線画像情報を記憶する画像メモリ８８とを有する。これらの圧力情報及び放射線画像情報は、送受信部５４を介してクレードル３０、携帯情報端末３２及びコンソール３４に送信される。なお、放射線画像情報は、必要に応じて、圧縮された状態で送信される。
【００２５】
クレードル３０の制御部９０は、電子カセッテ２８のバッテリ５０の充電処理を行う充電処理部９２を制御する一方、送受信部９４を介して電子カセッテ２８から受信した圧力情報を処理し、その処理結果を表示部９６に表示するとともに、処理結果に基づき、必要に応じてスピーカ９８（警報報知部）を鳴動させる。なお、表示部９６には、電子カセッテ２８によって取得した放射線画像情報をプレビュー画像として表示させるようにしてもよい。
【００２６】
ここで、クレードル３０の制御部９０は、各圧力センサ４８によって検出した圧力情報に基づき、電子カセッテ２８に対する患者２２の密着状態が所定の密着状態にあるか否かを判断する密着状態判断手段として機能する。また、表示部９６及びスピーカ９８は、処理結果である密着状態の判断結果を報知する判断結果報知手段として機能する。
【００２７】
携帯情報端末３２の制御部１００は、放射線源２４を駆動する撮影スイッチ１０２によって生成された撮影信号を送受信部１０４を介して線源制御装置２６に供給する。また、制御部１００は、送受信部１０４を介して電子カセッテ２８から受信した圧力情報を処理し、その処理結果である密着状態の判断結果を表示部１０６に表示するとともに、判断結果に基づき、必要に応じてスピーカ１０８（警報報知部）を鳴動させる。表示部１０６には、電子カセッテ２８によって取得した放射線画像情報をプレビュー画像として表示させるようにしてもよい。なお、携帯情報端末３２は、必要な情報を設定することのできる操作部１１０を有する。
【００２８】
コンソール３４は、制御部１１２と、線源制御装置２６、電子カセッテ２８、クレードル３０及び携帯情報端末３２に対して、必要な情報を無線通信により送受信する送受信部１１４と、患者情報を設定する患者情報設定部１１６と、線源制御装置２６による撮影に必要な撮影条件を設定する撮影条件設定部１１８と、電子カセッテ２８から送信された放射線画像情報に対する画像処理を行う画像処理部１２０と、処理した放射線画像情報を記憶する画像メモリ１２２と、放射線画像情報を表示する一方、電子カセッテ２８から送信された圧力情報に基づき、電子カセッテ２８に対する患者２２の密着状態の判断結果を表示する表示部１２４と、判断結果に基づき、必要に応じた警報を鳴動させるスピーカ１２６とを備える。
【００２９】
なお、撮影条件とは、患者２２の撮影部位に対して、適切な線量からなる放射線Ｘを照射するための管電圧、管電流、照射時間等を決定するための条件であり、例えば、撮影部位、撮影方法等の条件を挙げることができる。患者情報とは、患者２２の氏名、性別、患者ＩＤ番号等、患者２２を特定するための情報である。これらの撮影条件及び患者情報を含む撮影のオーダリング情報は、コンソール３４で直接設定し、あるいは、ＲＩＳ８２を介してコンソール３４に外部から供給することができる。また、カセッテ情報とは、電子カセッテ２８を特定するためのカセッテＩＤ情報である。
【００３０】
本実施形態の放射線画像撮影システム２０は、基本的には以上のように構成されるものであり、次にその動作について説明する。
【００３１】
患者２２の放射線画像を撮影する際、コンソール３４の患者情報設定部１１６を用いて当該患者２２の患者情報を設定するとともに、撮影条件設定部１１８を用いて必要な撮影条件を設定する。なお、これらの情報は、送受信部１１４を介して上流のＲＩＳ８２、ＨＩＳ８４から取得してもよい。
【００３２】
設定された患者情報及び撮影条件は、技師が所持する携帯情報端末３２に送信され、その表示部１０６に表示される。この場合、技師は、携帯情報端末３２の表示部１０６に表示された患者情報及び撮影条件を確認して、所望の撮影準備を行うことができる。
【００３３】
そこで、技師は、患者２２の所望の撮影部位に電子カセッテ２８を設定する。このとき、電子カセッテ２８のケーシング４０に配置された複数の圧力センサ４８のうち、患者２２に接触している圧力センサ４８は、所定の圧力を検出し、その圧力情報がセンサメモリ８６に一旦記憶される。次いで、前記圧力情報は、送受信部５４を介して、クレードル３０、携帯情報端末３２及びコンソール３４に送信される。
【００３４】
この場合、送受信部１０４を介して圧力情報を受信した携帯情報端末３２の制御部１００は、例えば、図５のハッチングに示すように、直線上にない３つ以上の圧力センサ４８ａにより検出された圧力が所定の圧力以上であるとき、閉曲線で囲んだ患者２２の平面状の所定領域１２８が電子カセッテ２８に密着しているものと判断し、その判断結果を表示部１０６に表示させるとともに、撮影許可信号を送受信部１０４を介して線源制御装置２６に送信する。携帯情報端末３２を所持する技師は、患者２２に電子カセッテ２８が適切な状態で設定されていることを表示部１０６で確認した後、放射線画像の撮影を開始する。
【００３５】
一方、直線上にない３つの圧力センサ４８のうち、所定以上の圧力を検出する圧力センサ４８が２つ以下のとき、携帯情報端末３２の制御部１００は、患者２２に対して電子カセッテ２８が面で密着しておらず、適切な密着状態でないものと判断し、その判断結果を表示部１０６に表示させるとともにスピーカ１０８を鳴動させ、電子カセッテ２８が患者２２に適切な状態で設定されていないことを技師に認識させる。また、線源制御装置２６に対しては、撮影禁止信号を送信し、不適切な状態での撮影を禁止する。技師は、判断結果に従い、患者２２を撮影に適した適切な状態に調整する。
【００３６】
ここで、患者２２の接触状態を検知する接触状態検知手段としては、圧力センサ４８に代えて、図６に示すように、電子カセッテ２８ａのケーシング４０の表面に形成され、透明電極１４０をマトリックス状に配列して構成したタッチパネルを用いることができる。この場合、患者２２が接触する透明電極１４０の交点の位置を検出し、その検出結果から、患者２２に対する電子カセッテ２８ａの密着状態を判断することができる。
【００３７】
なお、患者２２に対する電子カセッテ２８の密着状態については、携帯情報端末３２だけでなく、クレードル３０の表示部９６及びスピーカ９８を用いて技師に認知させ、あるいは、コンソール３４の表示部１２４及びスピーカ１２６を用いて技師に認知させるようにしてもよい。また、撮影許可信号又は撮影禁止信号は、クレードル３０又はコンソール３４から線源制御装置２６に送信するようにしてもよい。
【００３８】
患者２２に対して電子カセッテ２８が適切な状態に設定された後、技師は、携帯情報端末３２の撮影スイッチ１０２を操作し、放射線画像の撮影を行う。撮影スイッチ１０２が操作されると、携帯情報端末３２の制御部１００は、送受信部１０４を介して撮影開始信号を線源制御装置２６に送信する。撮影開始信号を受信した線源制御装置２６は、予めコンソール３４から供給されている撮影条件に従って放射線源２４を制御し、放射線Ｘを患者２２に照射する。
【００３９】
なお、放射線Ｘを患者２２に照射している間、圧力センサ４８は、患者２２が電子カセッテ２８に接触することにより生じる圧力を検出し、その検出結果をリアルタイムでクレードル３０、携帯情報端末３２及びコンソール３４に送信する。クレードル３０、携帯情報端末３２及びコンソール３４は、検出された圧力に基づいて電子カセッテ２８に対する患者２２の密着状態を判断し、例えば、撮影中の接触状態の変化、又は、圧力分布の変化から、患者２２が動いたと判断したとき、表示部９６、１０６、１２４及びスピーカ９８、１０８、１２６を用いて技師に警告を報知することができる。
【００４０】
患者２２を透過した放射線Ｘは、電子カセッテ２８のグリッド４２によって散乱線が除去された後、放射線変換パネル４４に照射され、放射線変換パネル４４を構成する各画素６２の光電変換層５６によって電気信号に変換され、蓄積容量６０に電荷として保持される（図３参照）。次いで、各蓄積容量６０に保持された患者２２の放射線画像情報である電荷情報は、カセッテ制御部５２からライン走査駆動部６８及びマルチプレクサ７６に供給されるアドレス信号に従って読み出される。
【００４１】
すなわち、ライン走査駆動部６８のアドレスデコーダ７０は、カセッテ制御部５２から供給されるアドレス信号に従って選択信号を出力してスイッチＳＷ１の１つを選択し、対応するゲート線６４に接続されたＴＦＴ５８のゲートに制御信号Ｖｏｎを供給する。一方、マルチプレクサ７６のアドレスデコーダ７８は、カセッテ制御部５２から供給されるアドレス信号に従って選択信号を出力してスイッチＳＷ２を順次切り替え、ライン走査駆動部６８によって選択されたゲート線６４に接続された各画素６２の蓄積容量６０に保持された電荷情報である放射線画像情報を信号線６６を介して順次読み出す。
【００４２】
放射線変換パネル４４の選択されたゲート線６４に接続された各画素６２の蓄積容量６０から読み出された放射線画像情報は、各増幅器７２によって増幅された後、各サンプルホールド回路７４によってサンプリングされ、マルチプレクサ７６を介してＡ／Ｄ変換器８０に供給され、デジタル信号に変換される。デジタル信号に変換された放射線画像情報は、カセッテ制御部５２の画像メモリ８８に一旦記憶される。
【００４３】
同様にして、ライン走査駆動部６８のアドレスデコーダ７０は、カセッテ制御部５２から供給されるアドレス信号に従ってスイッチＳＷ１を順次切り替え、各ゲート線６４に接続されている各画素６２の蓄積容量６０に保持された電荷情報である放射線画像情報を信号線６６を介して読み出し、マルチプレクサ７６及びＡ／Ｄ変換器８０を介してカセッテ制御部５２の画像メモリ８８に記憶させる。
【００４４】
画像メモリ８８に記憶された放射線画像情報は、送受信部５４を介して無線通信によりコンソール３４に送信され、画像処理部１２０により画像処理が施された後、患者情報と関連付けられた状態で画像メモリ１２２に記憶される。次いで、画像メモリ１２２に記憶された放射線画像情報は、表示部１２４に表示される。
【００４５】
ここで、放射線変換パネル４４の直前には、図２に示すように、圧力センサ４８が配置されている。圧力センサ４８が放射線Ｘを完全に透過する材料で形成されていれば問題ないが、放射線Ｘをある程度遮断する材料で形成されている場合、圧力センサ４８の影が放射線画像上に形成されてしまう。しかしながら、この影画像は、圧力センサ４８が規則的に配列されており、しかも、放射線Ｘの透過率が予め分かっていれば、画像処理部１２０での画像処理によって容易に除去することができる。圧力センサ４８に代えてタッチパネルを用いた場合も同様である。
【００４６】
一方、電子カセッテ２８の画像メモリ８８に記憶された放射線画像情報は、カセッテ制御部５２によって圧縮処理された後、クレードル３０又は携帯情報端末３２に送信され、圧縮画像として表示部９６又は１０６に表示させることができる。技師は、表示部９６又は１０６に表示された圧縮画像を確認し、再撮影の要否等の判断を行うことができる。なお、放射線画像情報は、圧縮されることで情報量が削減されているため、速やかに表示することができる。
【００４７】
放射線画像情報の撮影処理が行われた電子カセッテ２８は、バッテリ５０が消耗する。この場合、電子カセッテ２８は、クレードル３０に装着することで充電処理が行われる。
【００４８】
なお、本発明は、上述した実施形態に限定されるものではなく、本発明の主旨を逸脱しない範囲で自由に変更できることは勿論である。
【００４９】
例えば、電子カセッテ２８に収容される放射線変換パネル４４は、入射した放射線Ｘの線量を光電変換層５６によって直接電気信号に変換するものであるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線変換パネルを用いてもよい（特許第３４９４６８３号公報参照）。
【００５０】
また、光変換方式の放射線変換パネルを利用して放射線画像情報を取得することもできる。この光変換方式の放射線変換パネルでは、マトリクス状に配列された各固体検出素子に放射線が入射すると、その線量に応じた静電潜像が固体検出素子に蓄積記録される。静電潜像を読み取る際には、放射線変換パネルに読取光を照射し、発生した電流の値を放射線画像情報として取得する。なお、放射線変換パネルは、消去光を放射線変換パネルに照射することで、残存する静電潜像である放射線画像情報を消去して再使用することができる（特開２０００−１０５２９７号公報参照）。
【００５１】
さらに、放射線変換パネルとして、蓄積性蛍光体パネルを使用することもできる。
【図面の簡単な説明】
【００５２】
【図１】本実施形態に係る放射線画像撮影システムの説明図である。
【図２】電子カセッテの内部構成図である。
【図３】電子カセッテを構成する放射線変換パネルの回路構成ブロック図である。
【図４】放射線画像撮影システムの構成ブロック図である。
【図５】電子カセッテに配置された圧力センサにより検知される被写体の密着範囲の説明図である。
【図６】タッチパネルを配置した電子カセッテの構成図である。
【図７】従来技術に係る放射線変換器の撮影範囲の位置調整の説明図である。
【図８】従来技術に係る撮影台の位置調整の説明図である。
【符号の説明】
【００５３】
２０…放射線画像撮影システム
２２…患者
２４…放射線源
２６…線源制御装置
２８、２８ａ…電子カセッテ
３０…クレードル
３２…携帯情報端末
３４…コンソール
３６…撮影室
３８…操作室
４０…ケーシング
４４…放射線変換パネル
４８…圧力センサ
５０…バッテリ
５２…カセッテ制御部
８２…ＲＩＳ
８４…ＨＩＳ
９６、１０６、１２４…表示部
９８、１０８、１２６…スピーカ
１４０…透明電極
【図１】
0005036576.tif 000002
【図２】
0005036576.tif 000003
【図３】
0005036576.tif 000004
【図４】
0005036576.tif 000005
【図５】
0005036576.tif 000006
【図６】
0005036576.tif 000007
【図７】
0005036576.tif 000008
【図８】
0005036576.tif 000009